(57)【特許請求の範囲】
【請求項１】
車両に搭載され複数の放送を受信可能な車載放送受信装置（１）であって、
第１放送によってスポーツ中継を視聴しているか否かを判断する視聴判断部（４）と、
視聴しているスポーツ中継の対戦チームがユーザの好みのチームであるか否かを判断するチーム判断部（４）と、
前記スポーツ中継と同じスポーツ中継を放送する第２放送を検索する検索部（４）と、
前記視聴しているスポーツ中継の対戦チームがユーザの好みのチームである場合、前記第１放送によるスポーツ中継が終了したときに、前記第２放送に切り替えて前記スポーツ中継を継続して視聴し、前記視聴しているスポーツ中継の対戦チームがユーザの好みのチームでない場合には、前記第１放送によるスポーツ中継が終了したときに、前記第１放送を視聴し続ける切替部（４）と
を備えた車載放送受信装置。
【請求項２】
チーム毎に累積の視聴時間を記録する視聴情報データベース（３５）を備え、
前記チーム判断部（４）は、前記視聴情報データベース（３５）に基づいて、前記視聴しているスポーツ中継の対戦チームがユーザの好みのチームであるか否かを判断するように構成されている請求項１記載の車載放送受信装置。
【請求項３】
前記スポーツ中継はプロ野球中継であり、
前記チームは球団であり、
前記第１放送はＴＶ放送であり、
前記第２放送はラジオ放送であることを特徴とする請求項１または２記載の車載放送受信装置。
【発明の詳細な説明】
【技術分野】
【０００１】
本発明は、テレビジョン放送とラジオ放送を受信する車載放送受信装置に関する。
【背景技術】
【０００２】
特許文献１、２には、テレビジョンの野球中継放送が終了した後、ラジオ放送やインターネット放送に自動的に引き継ぐ構成が記載されている。この構成によれば、野球中継がラジオ放送等で自動継続されるので、引き続き野球中継を聞きたいユーザにとっては、便利で使い勝手が良い。
【先行技術文献】
【特許文献】
【０００３】
【特許文献１】特開２００７−２５８８７１号公報
【特許文献２】特開２００７−２４３９０３号公報
【発明の概要】
【発明が解決しようとする課題】
【０００４】
上記従来構成の場合、野球中継の放送が終了したときに、ユーザが他のテレビジョン番組を視聴したいと考えているような場合や、視聴したい番組が不明な場合には、野球中継の放送がラジオ放送等に自動的に引き継がれてしまうと、ユーザにとってあまり使い勝手が良いとはいえなかった。
【０００５】
本発明の目的は、野球中継等の放送が途中で終了したような場合に、ユーザの意図を考慮して、対策を実施することができる車載放送受信装置を提供することにある。
【課題を解決するための手段】
【０００６】
請求項１の発明は、車両に搭載され複数の放送を受信可能な車載放送受信装置（１）であって、第１放送によってスポーツ中継を視聴しているか否かを判断する視聴判断部（４）と、視聴しているスポーツ中継の対戦チームがユーザの好みのチームであるか否かを判断するチーム判断部（４）と、前記スポーツ中継と同じスポーツ中継を放送する第２放送を検索する検索部（４）と、前記視聴しているスポーツ中継の対戦チームがユーザの好みのチームである場合、前記第１放送によるスポーツ中継が終了したときに、前記第２放送に切り替えて前記スポーツ中継を継続して視聴し、前記視聴しているスポーツ中継の対戦チームがユーザの好みのチームでない場合には、前記第１放送によるスポーツ中継が終了したときに、前記第１放送を視聴し続ける切替部（４）とを備えた。
【図面の簡単な説明】
【０００８】
【図１】第１実施形態の車載用オーディオシステムのブロック図
【図２】放送視聴制御のフローチャート
【図３】視聴球団データベースの内容を示す図
【図４】第２実施形態の放送視聴制御のフローチャート（その１）
【図５】放送視聴制御のフローチャート（その２）
【図６】プロ野球中継放送データテーブルの内容を示す図
【発明を実施するための形態】
【０００９】
（第１実施形態）
以下、車載用オーディオシステムに適用した第１実施形態について、図１ないし図３を参照して説明する。本実施形態の車載用オーディオシステム１は、図１に示すように、車両用装置２と、携帯端末３とを備えている。車載用オーディオシステム１は、車載放送受信装置を構成している。本実施形態では、車両用装置２として、車両に搭載されるナビゲーション装置を想定している。携帯端末３として、車室内に持ち込まれるスマートフォン（Smart Phone）を想定している。
【００１０】
また、車載用オーディオシステム１において、車両用装置２と携帯端末３との間では、データ通信が行われる。そのデータ通信は、例えばＢｌｕｅＴｏｏｔｈ（登録商標）などの近距離無線通信により行われる。尚、以下の説明においては、ＢｌｕｅＴｏｏｔｈを単にＢＴと称す。
【００１１】
車両用装置２は、装置側制御部４、ＢＴモジュール５、記憶部６、テレビジョン（以下ＴＶと称す）チュ−ナ７、ラジオチューナ８、音声処理部９、表示部１０、操作入力部１１、信号入力部１２、位置検出器１３、地図データ入力器１４、ＤＶＤプレーヤ１５などを備えている。装置側制御部４は、ＣＰＵ、ＲＯＭ、ＲＡＭ、Ｉ／Ｏバスなどを有するマイクロコンピュータを主体に構成されている。装置側制御部４は、ＲＯＭや記憶部６などに記憶されているコンピュータプログラムに従って、通信動作、データ管理動作、携帯端末３との連携動作など車両用装置２の動作全般を制御する。
【００１２】
また、装置側制御部４は、車両の現在地から目的地までの経路を探索する経路探索機能、探索され且つ設定された経路に沿って経路案内する経路案内機能、および、操作入力部１１を操作して目的地を設定する目的地設定機能を有している。更に、装置側制御部４は、ＴＶチュ−ナ７またはラジオチューナ８を介して所望のＴＶ放送または所望のラジオ放送を受信可能なように構成されている。装置側制御部４は、視聴判断部、チーム判断部、検索部及び切替部としての各機能を備えている。本実施形態の場合、ＴＶ放送が第１放送に相当し、ラジオ放送が第２放送に相当している。
【００１３】
ＢＴモジュール５は、携帯端末３のＢＴモジュール２３との間でＢＴ通信回線を通じてＢＴ通信を実行する。車両用装置２は、１つの携帯端末３との間におけるデータ通信（ＢＴ通信）が可能なだけでなく、複数の（２つ以上の）携帯端末３との間におけるデータ通信（ＢＴ通信）も可能となっている。
【００１４】
記憶部６は、例えばハードディスクドライブやＳＤメモリなどの不揮発性の記憶媒体からなり、各種データを記憶する記憶領域を有して構成されている。記憶部６は、車両用装置２に内蔵されている構成であってもよいし、車両用装置２から取り外し可能な外部記憶媒体を用いる構成であってもよい。
【００１５】
ＴＶチュ−ナ７は、装置側制御部４により指示されたＴＶ放送局のＴＶ放送を受信する機能を有し、ＴＶ放送の受信信号を装置側制御部４へ出力する。ＴＶ放送の受信信号には、映像信号、音声信号（即ち、ＡＶ信号）、及び、ＴＶ番組表等の種々の情報が入っている情報信号等が含まれる。ユーザがＴＶ放送を視聴する場合、装置側制御部４は、ＴＶ放送の映像信号を表示部１０に表示し、ＴＶ放送の音声信号をオーディオアンプ１７を介してスピーカ１８から出力する。ＴＶチュ−ナ７は、車両用装置２に内蔵されている構成であってもよいし、車両用装置２から取り外し可能な構成であってもよいし、外付けの構成であってもよい。
【００１６】
ラジオチューナ８は、装置側制御部４により指示されたラジオ放送局のラジオ放送を受信する機能を有し、ラジオ放送の受信信号を装置側制御部４へ出力する。ラジオ放送の受信信号には、音声信号（即ち、ＡＶ信号）が含まれる。ユーザがラジオ放送を視聴する場合、装置側制御部４は、ラジオ放送の音声信号をオーディオアンプ１７を介してスピーカ１８から出力する。ラジオチューナ８は、装車両用装置２に内蔵されている構成であってもよいし、車両用装置２から取り外し可能な構成であってもよいし、外付けの構成であってもよい。
【００１７】
音声処理部９には、マイクロホン１６およびオーディオアンプ１７が接続されている。マイクロホン１６は、車室内の例えばステアリングホイールの近傍などユーザ（例えば運転者等）が発した音声を集音し易い部位に配置されている。オーディオアンプ１７は、車室内において車両用装置２の外部に設けられている。オーディオアンプ１７には、スピーカ１８、１８が接続されている。音声処理部９は、装置側制御部４およびＢＴモジュール５に接続されている。音声処理部９は、周知の音声入力処理および音声出力処理を行う。音声処理部９は、ＢＴモジュール５と携帯端末３のＢＴモジュール２３との間でＢＴ通信回線が接続されている状態では、ユーザが発した音声をマイクロホン１６から送話音声データとして入力すると、その入力した送話音声データを音声処理してＢＴモジュール５を介して携帯端末３へ出力する。また、ＢＴモジュール５から受話音声データを入力すると、その入力した受話音声データをオーディオアンプ１７へ出力する。オーディオアンプ１７は、音声処理部９から受話音声データや音データを入力すると、その入力した受話音声データや音データを増幅してスピーカ１８から出力する。
【００１８】
更に、オーディオアンプ１７は、装置側制御部４に接続されており、装置側制御部４からＴＶ放送の音声や、ラジオ放送の音声や、楽曲データや、音データや、音声データ等を入力すると、その入力したＴＶ放送の音声や、ラジオ放送の音声や、楽曲データや、音データや、音声データ等を増幅してスピーカ１８から出力させる。
【００１９】
表示部１０は、例えば液晶表示器や有機ＥＬ表示器で構成されており、装置側制御部４からの指示に基づいて各種の情報（例えばＴＶ放送の映像や、種々のメッセージや、ナビゲーションに関する各種の表示等）を表示する。表示部１０の画面上には、タッチスイッチ（例えばタッチパネル）が設けられている。
【００２０】
操作入力部１１は、上記タッチスイッチや表示部１０の周囲に設けられたメカニカルスイッチなどを有し、ユーザによる上記スイッチの操作を検知し、その操作検知信号を装置側制御部４に出力する。装置側制御部４は、操作入力部１１から入力された操作検知信号を解析してユーザによる操作内容を特定する。
【００２１】
信号入力部１２は、車両に搭載されている図示しないＡＣＣ（アクセサリ）スイッチに接続されている。信号入力部１２は、上記ＡＣＣスイッチから出力されたＡＣＣ信号が入力されると、そのＡＣＣ信号を装置側制御部４へ出力する。装置側制御部４は、ＡＣＣ信号がオフからオンに遷移したタイミングで装置電源をオンし（車両用装置２を起動し）、ＡＣＣ信号がオンからオフに遷移したタイミングで装置電源をオフする（車両用装置２を停止する）。
【００２２】
位置検出器１３は、図示しない周知の地磁気センサ、ジャイロスコープ、車速センサおよびＧＰＳ受信機などを備えており、高精度に車両の現在位置を検出する。さらに、加速度を検出する加速度センサ等を加えてもよい。位置検出器１３は、検出した車両の現在位置の情報を装置側制御部４に出力する。装置側制御部４は、位置検出器１３から与えられる車両の現在位置情報などに基づいて、いわゆるナビゲーション処理を行う。地図データ入力器１４は、ＣＤ−ＲＯＭ、ＤＶＤ−ＲＯＭ、ハードディスク、不揮発性の半導体メモリ等のような大容量の情報記憶媒体を利用して道路地図データなどを入力するためのものである。ＤＶＤプレーヤ１５は、ＤＶＤやＣＤ等を再生し、映像信号や音声信号（即ち、ＡＶ信号）を装置側制御部４へ出力する。
【００２３】
一方、携帯端末３は、端末側制御部２１、電話通信部２２、ＢＴモジュール２３、無線ＬＡＮ通信部２４、位置検出部２５、加速度検出部２６、キー入力部２７、記憶部２８、表示部２９、マイクロホン３０、スピーカ３１などを備えている。端末側制御部２１は、ＣＰＵ、ＲＯＭ、ＲＡＭ、Ｉ／Ｏバスなどを有するマイクロコンピュータを主体に構成されている。端末側制御部２１は、通信動作、データ管理動作など携帯端末３の動作全般を制御する。端末側制御部２１は、記憶部２８に記憶されている車両用装置２との連携動作用のアプリを起動して実行することにより、ラジオ放送の番組表の情報を取得する情報取得部としての機能をソフトウェアによって実現している。
【００２４】
電話通信部２２は、通信網３２との間で電話通信またはデータ通信を実行する。この場合、通信網３２は、図示しない携帯電話基地局や基地局制御装置などの周知の公衆回線網を使用する携帯電話通信サービスを提供する施設を含むものである。携帯端末３は、電話通信部２２及び通信網３２を介して他の携帯端末２（スマートフォンや携帯電話機やタブレット等）と電話通信またはデータ通信を行なうことができる。また、携帯端末３は、電話通信部２２及び通信網３２を介して情報センタ３３のサーバ装置３４から、種々の情報（特には、ラジオ放送の番組表の情報）やアプリなどを取得（ダウンロード）することが可能となっている。
【００２５】
ＢＴモジュール２３は、車両用装置２のＢＴモジュー５ルとの間でＢＴ通信回線を通じてＢＴ通信を実行する。無線ＬＡＮ通信部２４は、他の電気機器（例えば車両ＣＡＮや運転者が身に着けているウエアラブルデバイス等）の無線ＬＡＮ通信部との間で無線ＬＡＮ通信回線を通じて無線ＬＡＮ通信を実行する。位置検出部２５は、例えばＧＰＳ受信機で構成されており、携帯端末３の現在位置を検出して、検出した現在位置の情報を端末側制御部２１へ送信する。加速度検出部２６は、例えばＧセンサで構成されており、携帯端末３に作用する加速度を検出して、検出した加速度検出情報を端末側制御部２６へ送信する。
【００２６】
表示部２９は、例えば液晶表示器や有機ＥＬ表示器などにより構成されており、端末側制御部２１の表示指令信号に基づいて各種の情報を表示する。キー入力部２７は、表示部２９の画面上に設けられたタッチスイッチ（いわゆるタッチパネル）と、表示部２９の周囲に設けられているメカニカルスイッチとを含む各種のキーを備えている。キー入力部２７は、ユーザがキーを操作したことに応じて操作検出信号を端末側制御部２１へ出力する。
【００２７】
記憶部２８は、各種データを記憶する記憶領域を有しており、ＥＥＰＲＯＭやフラッシュメモリやＳＤメモリ等で構成されている。マイクロホン３０は、通話時においてユーザが発した音声を送話音声として入力する。スピーカ３１は、通話相手から電話通信部２２により受信した音声信号を受話音声として出力する。
【００２８】
次に、上記構成の車載用オーディオシステム１の動作について、図２及び図３を参照しながら説明する。図２のフローチャートは、車両用装置２の装置側制御部４の制御、特には、ＴＶ放送やラジオ放送を視聴する放送視聴制御の内容を示す。尚、本制御が開始される前に、ユーザは、すでにＴＶ放送を視聴している、即ち、ＴＶ放送の映像が表示部１０に表示さて、ＴＶ放送の音声がスピーカ１８から出力されている。
【００２９】
まず、図２のステップＳ１０では、装置側制御部４は、ＴＶ放送を視聴しているか否かを判断する。ここで、ＴＶ放送を視聴していないときには（ＮＯ）、ステップＳ１０へ戻る。上記ステップＳ１０において、ＴＶ放送を視聴しているときには（ＹＥＳ）、ステップＳ２０へ進み、視聴しているＴＶ放送がプロ野球中継の放送であるか否かを判断する。ここで、視聴しているＴＶ放送がプロ野球中継の放送でないときには（ＮＯ）、ステップＳ１０へ戻る。
【００３０】
また、上記ステップＳ２０において、視聴しているＴＶ放送がプロ野球中継の放送であるときには（ＹＥＳ）、ステップＳ３０へ進む。このステップＳ３０では、装置側制御部４は、ＴＶ放送の受信信号に含まれるＴＶ番組表の情報（例えばＧ−Ｇｕｉｄｅのデータ）に基づいて、視聴中のプロ野球中継の試合中の球団（即ち、２つの球団）の名前を特定する。
【００３１】
続いて、ステップＳ４０へ進み、装置側制御部４は、上記特定した球団の視聴情報を、図３に示す視聴球団データベース３５に記録する。視聴球団データベース３５は、装置側制御部４内のメモリまたは記憶部６に設けられており、プロ野球の各球団毎に、累積の視聴回数のデータと、累積の視聴時間のデータと、平均の視聴時間のデータとを記憶して構成されたものである。上記ステップＳ４０では、視聴球団データベースの中の上記特定した球団について、累積の視聴回数をカウントアップし、累積の視聴時間を加算し、平均の視聴時間を算出し直す処理を実行する。
【００３２】
次いで、ステップＳ４５へ進み、装置側制御部４は、上記特定した球団がユーザが好きな球団であるか否かを判断する。この場合、装置側制御部４は、上記視聴球団データベース３５に基づいてユーザの好きな球団を特定する。例えば累積視聴時間が最も長い球団を、ユーザの好みの球団とする。図３の視聴球団データベース３５においては、「中日」を、ユーザの好きな球団とする。上記ステップＳ４５において、特定した球団がユーザが好きな球団でないときには、「ＮＯ」へ進み、本制御を終了する。
【００３３】
また、上記ステップＳ４５において、特定した球団がユーザが好きな球団であるときには（ＹＥＳ）、ステップＳ５０へ進み、装置側制御部４は、ラジオ放送でプロ野球中継が有るか否かを判断する。この場合、装置側制御部４は、携帯端末３に対して、ＢＴ通信を介してラジオ放送の番組表の情報を取得する指令を送信する。この指令を受信して、携帯端末３の端末側制御部２１は、電話通信部２２及び通信網３２を介して情報センタ３３のサーバ装置３４にアクセスし、該サーバ装置３４からラジオ放送の番組表の情報を取得し、取得したラジオ放送の番組表の情報をＢＴ通信を介して車両用装置２へ送信する。このラジオ放送の番組表の情報を受信して、車両用装置２の装置側制御部４は、受信したラジオ放送の番組表の情報を検索して、ＴＶで視聴中のプロ野球中継がラジオで放送されているか否かを判断する。ここで、ラジオ放送で視聴中のプロ野球中継がないときには、ステップＳ５０にて「ＮＯ」へ進み、本制御を終了する。
【００３４】
上記ステップＳ５０において、ラジオ放送で視聴中のプロ野球中継があるときには（ＹＥＳ）、ステップＳ６０へ進み、視聴中のＴＶ放送（即ち、プロ野球中継）が放送終了したか否かを判断する。この放送終了の判断は、ＴＶ放送の受信信号に含まれるＴＶ番組表の情報の中のプロ野球中継の放送時間や放送終了時刻等の情報に基づいて行うようになっている。上記ステップＳ６０において、視聴中のプロ野球中継のＴＶ放送が終了していないときには、「ＮＯ」へ進み、ステップＳ６０の判断を続ける。
【００３５】
また、上記ステップＳ６０において、ＴＶで視聴中のプロ野球中継の放送が終了したときには（ＹＥＳ）、ステップＳ７０へ進み、装置側制御部４は、ＴＶで視聴していたプロ野球中継を放送しているラジオ放送（即ち、ステップＳ５０で検索したラジオ放送）を聴くことができるように、ラジオチューナ８へ選局指示信号を出力し、ラジオチューナ８の視聴周波数を調整する。これにより、ＴＶで視聴していたプロ野球中継を放送しているラジオ放送が、ラジオチューナ８により受信されるようになり、受信した上記プロ野球中継のラジオ放送がオーディオアンプ１７を介してスピーカ１８から出力されるようになる。この結果、ユーザは、プロ野球中継をＴＶ放送に引き続いてラジオ放送で聴くことができる。
【００３６】
続いて、ステップＳ８０へ進み、装置側制御部４は、上記ＴＶ放送で放送終了したプロ野球中継で試合中の球団の視聴情報を、前記視聴球団データベースに記録する。この場合、ＴＶ放送のプロ野球中継を、ラジオ放送に自動継続した旨の情報（例えば自動継続の回数）を記録することが好ましい。これにより、本制御を終了する。
【００３７】
このような構成の本実施形態においては、ＴＶ放送で視聴しているプロ野球中継がユーザの好きな球団である場合に、ＴＶ放送のプロ野球中継が終了したときに、ラジオ放送のプロ野球中継に引き継ぐように構成した。この構成によれば、ユーザの好きな球団のプロ野球中継の放送が途中で終了したような場合に、ラジオ放送のプロ野球中継に自動的に切り替わるので、ユーザにとって自分の意図に沿った使い勝手が良いシステムとなる。そして、ユーザの好きな球団ではないプロ野球中継の放送が途中で終了したような場合は、そのままのチャンネルでＴＶ放送が継続して放送されるので、ユーザの意図を考慮した優れたシステムとなる。
【００３８】
また、上記実施形態では、プロ野球中継が視聴されると、視聴球団データベース３５が更新される構成であるので、視聴球団データベース３５に基づいて、ユーザの好みの球団を正確に判定することができる。
【００３９】
（第２実施形態）
図４ないし図６は、第２実施形態を示すものである。尚、第１実施形態と同一構成には、同一符号を付している。第２実施形態では、車両のアクセサリ（以下ＡＣＣと称す）スイッチをオンしたときの放送視聴制御について説明する。図４及び図５のフローチャートは、装置側制御部４のＡＣＣスイッチオン時の放送視聴制御の内容を示す。尚、図４及び図５の制御において、好みの球団のプロ野球中継を放送するＴＶ放送の放送局が、第１の放送局に相当し、好みの球団のプロ野球中継を放送するラジオ放送の放送局が、第２の放送局に相当する。
【００４０】
図４のステップＳ１１０では、装置側制御部４は、ＴＶ放送の受信信号に含まれるＴＶ番組表の情報やサーバ装置３４から携帯端末３を介して取得したラジオ放送の番組表の情報に基づいて、プロ野球中継のＴＶ放送またはラジオ放送の有無を確認する。この場合、ＴＶ番組表の情報とラジオ放送の番組表の情報とに基づいて、プロ野球中継のＴＶ放送またはラジオ放送が有る場合、装置側制御部４は、図６に示すような、プロ野球中継のＴＶ放送またはラジオ放送の一覧表のデータテーブル、即ち、プロ野球中継放送データテーブル３６を形成し、内部のメモリまたは記憶部６に記憶する。
【００４１】
続いて、ステップＳ１２０へ進み、図３に示す視聴球団データベース３５に記録データが収集されているか否かを判断する。ここで、視聴球団データベース３５に記録データが収集されているときには（ＹＥＳ）、ステップＳ１３０へ進み、装置側制御部４は、上記視聴球団データベース３５に基づいてユーザの好みの球団を特定する。この場合、例えば累積視聴時間が最も長い球団を、ユーザの好みの球団とする。図３の視聴球団データベースの場合、「中日」を、ユーザの好みの球団とする。また、ステップＳ１３０において、視聴球団データベースに記録データが収集されていないときには（ＮＯ）、ステップＳ１４０へ進み、装置側制御部４は、ユーザが予め好みの球団として設定しておいた球団を、ユーザの好みの球団として特定する。
【００４２】
そして、ステップＳ１５０へ進み、装置側制御部４は、ＡＣＣスイッチをオフしたときのバックアップ情報に基づいて、ＡＣＣスイッチをオフする直前にＴＶ放送またはラジオ放送が視聴されていたか否かを判断する。ここで、ＡＣＣスイッチをオフする直前にＴＶ放送またはラジオ放送が視聴されていたときには（ＹＥＳ）、ステップＳ１６０へ進み、装置側制御部４は、ＡＣＣスイッチのオフ時に選局されていたＴＶ放送またはラジオ放送を選局する。これにより、ＡＣＣスイッチのオフ時に選局されていたＴＶ放送またはラジオ放送が、オーディオアンプ１７を介してスピーカ１８から出力されると共に、ＴＶ放送の場合には、ＴＶ映像が表示部１０に表示される。
【００４３】
続いて、ステップＳ１９０へ進み、視聴中の放送がプロ野球中継であるか否かを判断する。ここで、視聴中の放送がプロ野球中継であるときには（ＹＥＳ）、ステップＳ２００へ進む。このステップＳ２００では、装置側制御部４は、放送中のプロ野球中継の試合中の球団（即ち、２つの球団）について、各球団の視聴情報を、視聴球団データベース３５に記録開始する。
【００４４】
そして、ステップＳ２２０へ進み、放送中のプロ野球中継の試合中の球団が、ユーザの好みの球団（即ち、上記ステップＳ１３０で特定した球団）であるか否かを判断する。ここで、放送中のプロ野球中継の試合中の球団が、ユーザの好みの球団であるときには（ＹＥＳ）、図５のステップＳ２６０へ進み、視聴中の放送の受信状態が良いか悪いかを判断する。このステップＳ２６０以降の制御、即ち、受信感度が悪い場合に放送を変更する制御については、後述する。
【００４５】
さて、前記ステップＳ１５０において、ＡＣＣスイッチのオフ時にＴＶ放送及びラジオ放送が視聴されていないとき、即ち、ＣＤやＤＶＤ等が選択されていたときには（ＮＯ）、ステップＳ１７０へ進み、装置側制御部４は、ユーザによりＴＶ放送またはラジオ放送が選局されたか否かを判断する。ここで、ユーザによりＴＶ放送またはラジオ放送が選局されていないときには（ＮＯ）、ステップＳ１８０へ進み、装置側制御部４は、プロ野球中継放送データテーブル３６に基づいて、好みの球団のプロ野球中継のＴＶ放送またはラジオ放送があるか（即ち、放送中または放送予定であるか）否かを判断する。ここで、好みの球団のプロ野球中継の放送がないときには、ステップＳ１８０にて「ＮＯ」へ進み、ステップＳ１７０へ戻り、ユーザによりＴＶ放送またはラジオ放送が選局されたか否かの判断を続ける。
【００４６】
また、上記ステップＳ１８０において、好みの球団のプロ野球中継の放送があるときには（ＹＥＳ）、図５のステップＳ２４０へ進み、プロ野球中継の放送が開始されたか（またはプロ野球中継の放送が放送中であるか）否かを判断する。ここで、プロ野球中継の放送が開始されていないときには、「ＮＯ」へ進み、ステップＳ２４０へ戻り、プロ野球中継の放送が開始されるのを待つ。
【００４７】
上記ステップＳ２４０において、プロ野球中継の放送が開始されたとき（または放送中であるとき）には（ＹＥＳ）、ステップＳ２５０へ進み、装置側制御部４は、プロ野球中継を放送するＴＶ放送またはラジオ放送に選局し、即ち、プロ野球中継を放送するＴＶ放送のチャンネルまたはラジオ放送の周波数に自動選局する。これにより、好みの球団のプロ野球中継を放送するＴＶ放送またはラジオ放送が、オーディオアンプ１７を介してスピーカ１８から出力されると共に、ＴＶ放送の場合には、ＴＶ映像が表示部１０に表示される。尚、自動選局する代わりに、好みの球団のプロ野球中継を放送するＴＶ放送またはラジオ放送が放送開始されているという旨のメッセージを表示部１０に表示する、または、スピーカ１８から音声出力して、ユーザにプロ野球中継の視聴を薦めるように構成しても良い。上記ステップＳ２５０の実行後は、ステップＳ２６０へ進み、このステップＳ２６０以降の制御については、後述する。
【００４８】
また、上記ステップＳ１７０において、ユーザによりＴＶ放送またはラジオ放送が選局されたときには（ＹＥＳ）、装置側制御部４は、ユーザにより選局されたＴＶ放送またはラジオ放送を、オーディオアンプ１７を介してスピーカ１８から出力すると共に、ＴＶ放送の場合には、ＴＶ映像を表示部１０に表示してから、ステップＳ１９０へ進む。この後は、上述したようにして制御を実行する。
【００４９】
また、前記ステップＳ１９０において、視聴中の放送がプロ野球中継でないときには（ＮＯ）、ステップＳ２１０へ進む。このステップＳ２１０では、装置側制御部４は、プロ野球中継放送データテーブル３６に基づいて、好みの球団のプロ野球中継のＴＶ放送またはラジオ放送があるか（即ち、放送中または放送予定であるか）否かを判断する。ここで、好みの球団のプロ野球中継の放送がないときには、ステップＳ２１０にて「ＮＯ」へ進み、ステップＳ１９０へ戻り、視聴中の放送がプロ野球中継であるか否かの判断を続ける。
【００５０】
また、上記ステップＳ２１０において、好みの球団のプロ野球中継の放送があるときには（ＹＥＳ）、図５のステップＳ２４０へ進み、プロ野球中継の放送が開始されたか（またはプロ野球中継の放送が放送中であるか）否かを判断する。尚、これ以降は、前述したようにして制御を実行する。
【００５１】
また、上記ステップＳ２２０において、放送中のプロ野球中継の試合中の球団が、ユーザの好みの球団でないときには（ＮＯ）、ステップＳ２３０へ進む。このステップＳ２３０では、装置側制御部４は、プロ野球中継放送データテーブル３６に基づいて、好みの球団のプロ野球中継のＴＶ放送またはラジオ放送があるか（即ち、放送中または放送予定であるか）否かを判断する。ここで、好みの球団のプロ野球中継の放送がないときには、ステップＳ２３０にて「ＮＯ」へ進み、ステップＳ２２０へ戻り、放送中のプロ野球中継の試合中の球団が、ユーザの好みの球団であるか否かを判断を続ける。
【００５２】
また、上記ステップＳ２３０において、好みの球団のプロ野球中継の放送があるときには（ＹＥＳ）、図５のステップＳ２４０へ進み、プロ野球中継の放送が開始されたか（またはプロ野球中継の放送が放送中であるか）否かを判断する。尚、これ以降は、上述したようにして制御を実行する。
【００５３】
次に、図５のステップＳ２６０以降の制御、即ち、受信感度が悪い場合に放送を変更する制御について説明する。まず、ステップＳ２６０では、装置側制御部４は、視聴中の放送の受信状態が良いか悪いかを判断する。この場合、放送を設定時間例えば１分間以上受信できないような場合に、放送の受信感度が悪いと判断し、それ以外の場合、放送の受信感度が良いと判断する。
【００５４】
上記ステップＳ２６０において、放送の受信感度が良いときには（ＹＥＳ）、ステップＳ２７０へ進み、装置側制御部４は、ユーザが視聴している放送、即ち、表の放送のプロ野球中継が終了したか否かを判断する。この場合、表の放送としては例えばＴＶ放送のプロ野球中継を想定し、裏の放送としては例えばラジオ放送の同一試合のプロ野球中継を想定している。上記ステップＳ２７０において、表の放送のプロ野球中継が終了していないときには（ＮＯ）、ステップＳ２６０へ戻り、視聴中の放送の受信状態が良いか否かの判断を続ける。
【００５５】
また、上記ステップＳ２７０において、表の放送のプロ野球中継が終了したときには（ＹＥＳ）、ステップＳ２８０へ進み、装置側制御部４は、裏の放送、即ち、ラジオ放送のプロ野球中継が終了したか否かを判断する。ここで、裏の放送のプロ野球中継が終了していないときには（ＮＯ）、ステップＳ２９０へ進み、装置側制御部４は、裏の放送、即ち、ラジオ放送のプロ野球中継に選局を変更する。これにより、ラジオ放送のプロ野球中継が、オーディオアンプ１７を介してスピーカ１８から出力される。続いて、ステップＳ２８０へ戻り、裏の放送、即ち、ラジオ放送のプロ野球中継が終了したか否かの判断を続ける。
【００５６】
また、上記ステップＳ２８０において、裏の放送、即ち、ラジオ放送のプロ野球中継が終了したときには（ＹＥＳ）、ステップＳ３４０へ進み、視聴したプロ野球中継の試合を行った球団の視聴時間（即ち、プロ野球中継の視聴開始から視聴終了までの時間）を視聴球団データベース３５に記録する。これにより、本制御を終了する。
【００５７】
また、上記ステップＳ２６０において、放送の受信感度が悪いときには（ＮＯ）、ステップＳ３００へ進み、装置側制御部４は、裏の放送、即ち、ラジオ放送のプロ野球中継に選局を変更する。これにより、ラジオ放送のプロ野球中継が、オーディオアンプ１７を介してスピーカ１８から出力される。
【００５８】
続いて、ステップＳ３１０へ進み、装置側制御部４は、表の放送、即ち、ＴＶ放送の受信状態が回復したか否かを判断する。この場合、放送を例えば１分間程度安定して受信できるようになった場合に、放送の受信状態が回復したと判断する。上記ステップＳ３１０において、表の放送、即ち、ＴＶ放送の受信状態が回復しないときには（ＮＯ）、ステップＳ３３０へ進み、装置側制御部４は、裏の放送、即ち、ラジオ放送のプロ野球中継が終了したか否かを判断する。ここで、裏の放送のプロ野球中継が終了していないときには（ＮＯ）、ステップＳ３１０へ戻り、表の放送、即ち、ＴＶ放送の受信状態が回復したか否かの判断を続ける。
【００５９】
また、上記ステップＳ３３０において、裏の放送のプロ野球中継が終了したときには（ＹＥＳ）、ステップＳ３４０へ進み、視聴したプロ野球中継の試合を行った球団の視聴時間（即ち、プロ野球中継の視聴開始から視聴終了までの時間）を視聴球団データベース３５に記録する。
【００６０】
また、上記ステップＳ３１０において、表の放送、即ち、ＴＶ放送の受信状態が回復したときには（ＹＥＳ）、ステップＳ３２０へ進み、装置側制御部４は、表の放送、即ち、ＴＶ放送のプロ野球中継に選局を変更する。これにより、ＴＶ放送のプロ野球中継が、オーディオアンプ１７を介してスピーカ１８から出力されると共に、映像が表示部１０に表示される。続いて、ステップＳ２６０へ戻り、この後は、上述した制御が実行される。
【００６１】
また、ＴＶ放送またはラジオ放送のプロ野球中継の視聴中に、ユーザによりＡＣＣスイッチがオフされたときには、ステップＳ３４０へ進み、視聴したプロ野球中継の試合を行った球団の視聴時間（即ち、プロ野球中継の視聴開始から視聴終了までの時間）を視聴球団データベース３５に記録するように構成されている。
【００６２】
尚、上述した以外の第２実施形態の構成は、第１実施形態の構成と同じ構成となっている。従って、第２実施形態においても、第１実施形態とほぼ同様な作用効果を得ることができる。特に、第２実施形態によれば、ＡＣＣスイッチがオンされたときに、ユーザの好みの球団のプロ野球中継が放送されているときには、そのプロ野球中継の放送局を自動的に選局して上記プロ野球中継を視聴できるように構成したので、ユーザにとって非常に使い勝手の良い構成となる。また、上記実施形態では、ＡＣＣスイッチがオンされた後、ユーザの好みの球団のプロ野球中継が放送開始されたときには、そのプロ野球中継の放送局を自動的に選局して上記放送開始されたプロ野球中継を視聴できるように構成したので、ユーザにとって非常に使い勝手の良い構成となる。
【００６３】
そして、上記実施形態では、ＡＣＣスイッチがオンされたときに、ユーザの好みの球団のプロ野球中継が放送されていないときには、ＡＣＣスイッチがオフされたときの放送やＤＶＤ（またはＣＤ）等を視聴できるので、ユーザの好みや意図等を考慮した使い勝手が良い構成となる。
【００６４】
尚、上記各実施形態では、プロ野球中継のＴＶ放送またはラジオ放送に適用したが、これに限られるものではなく、他のスポーツ中継のＴＶ放送またはラジオ放送に適用しても良い。
【符号の説明】
【００６５】
図面中、１は車載用オーディオシステム、２は車両用装置、３は携帯端末、４は装置側制御部、７はＴＶチュ−ナ、８はラジオチューナ、９は音声処理部、１０は表示部、１３は位置検出器、１７はオーディオアンプ、１８はスピーカ、２１は端末側制御部、２２は電話通信部、２９は表示部、３０はマイクロホン、３１はスピーカ、３２は通信網、３３は情報センタ、３４はサーバ装置、３５はプロ野球中継放送データテーブル、３６はプロ野球中継放送データテーブルである。
【図１】
0006528714.tif 000002
【図２】
0006528714.tif 000003
【図３】
0006528714.tif 000004
【図４】
0006528714.tif 000005
【図５】
0006528714.tif 000006
【図６】
0006528714.tif 000007